【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
第１の波長範囲に対して感光性である第１の材料の光検知エリアを有する位置検知検出器であって、前記位置検知検出器が、
光ファイバケーブルの複数の光ファイバを通してそれぞれ放出された複数の第１の光信号であって、前記複数の第１の光信号が、前記第１の波長範囲内の波長を有する、複数の第１の光信号を受信し、
前記複数の第１の光信号が前記光検知エリアにそれぞれ衝突する複数の位置を検出し、
前記複数の位置を表すデータを出力するように構成されている、位置検知検出器と、
前記第１の材料とは異なり、かつ前記第１の波長範囲とは異なる第２の波長範囲に対して感光性である第２の材料の光検出器であって、前記光検出器が、
前記光ファイバケーブルの前記複数の光ファイバを通してそれぞれ放出された複数の第２の光信号であって、前記複数の第２の光信号が、前記第２の波長範囲内の波長を有する、複数の第２の光信号を受信するように構成されている、光検出器と、を備える、光学試験装置。
【請求項２】
前記位置検知検出器が、
前記複数の第１の光信号の複数の第１の光強度をそれぞれ検出し、
前記複数の第１の光強度を表すデータを出力するように構成されている、請求項１に記載の光学試験装置。
【請求項３】
前記光検出器は、
前記複数の第２の光信号の複数の第２の光強度をそれぞれ検出し、
前記複数の第２の光強度を表すデータを出力するように構成されている、請求項２に記載の光学試験装置。
【請求項４】
前記複数の位置を表す前記データ、前記複数の第１の光強度を表す前記データ、及び前記複数の第２の光強度を表す前記データを受信し、
前記複数の位置を表す前記データ及び前記複数の第１の光信号の既知の送信位置に基づいて前記光ファイバケーブルの極性を判定し、
前記複数の第１の光強度のうちの第１の光強度に基づいて少なくとも１つの第１の光信号の光損失を判定し、
前記複数の第２の光強度のうちの第２の光強度に基づいて少なくとも１つの第２の光信号の光損失を判定し、
前記光ファイバケーブルの前記判定された極性、前記少なくとも１つの第１の光信号の前記光損失、及び前記少なくとも１つの第２の光信号の前記光損失を出力するように構成された、プロセッサをさらに備える、請求項３に記載の光学試験装置。
【請求項５】
前記位置検知検出器及び前記光検出器は、前記位置検知検出器の少なくとも一部分が、前記光検出器の検知領域の少なくとも一部分で前記光検出器と重なるように積層されている、請求項１から４のいずれか１項に記載の光学試験装置。
【請求項６】
前記位置検知検出器は、前記第１の波長範囲の外側の波長を有する光を通過させるように構成され、前記複数の第２の光信号の波長は、前記第１の波長範囲の外側であり、前記光検出器は、前記複数の第２の光信号が前記位置検知検出器を通過した後に前記複数の第２の光信号を受信するように構成されている、請求項５に記載の光学試験装置。
【請求項７】
前記位置検知検出器は、前記位置検知検出器が前記光検出器の検知領域のいずれの部分も覆わないように前記光学試験装置内で位置付けられている、請求項１から４のいずれか１項に記載の光学試験装置。
【請求項８】
前記複数の第１の光信号及び前記複数の第２の光信号を受信するように位置付けられた波長選択光スプリッタであって、
前記第１の波長範囲内の波長を有する前記複数の第１の光信号を前記位置検知検出器に選択的に出力し、
前記第２の波長範囲内の波長を有する前記複数の第２の光信号を前記光検出器に選択的に出力するように構成された、波長選択光スプリッタをさらに備える、請求項７に記載の光学試験装置。
【請求項９】
前記第１の材料は、シリコンであり、前記第２の材料は、ゲルマニウム又はヒ化インジウムガリウムである、請求項１から８のいずれか１項に記載の光学試験装置。
【請求項１０】
前記第１の波長範囲は、３５０〜１０００ｎｍであり、前記第２の波長範囲は、７００〜１６００ｎｍである、請求項１から９のいずれか１項に記載の光学試験装置。
【請求項１１】
前記複数の光ファイバは、シングルモード光ファイバ又はマルチモード光ファイバである、請求項１から１０のいずれか１項に記載の光学試験装置。
【請求項１２】
前記プロセッサは、
前記複数の第１の光信号が前記位置検知検出器によって受信された順序を示す情報を受信し、
前記複数の第１の光信号が受信された前記順序を示す前記情報、前記複数の第１の光信号が前記複数の光ファイバを通して放出された順序を示す情報、及び前記複数の位置を表す前記データに基づいて、前記光ファイバケーブルの前記極性を判定するように構成されている、請求項４に記載の光学試験装置。
【請求項１３】
前記位置検知検出器は、前記複数の第１の光信号のそれぞれの複数のシグネチャを検出し、かつ前記それぞれの複数のシグネチャを表すデータを出力するように構成され、前記プロセッサは、
前記それぞれの複数のシグネチャを表す前記データを受信し、
前記それぞれの複数のシグネチャを表す前記データに基づいて前記複数の第１の光信号の複数の送信位置を判定し、
前記複数の送信位置、及び前記複数の第１の光信号が前記位置検知検出器の前記光検知エリアにそれぞれ衝突する前記複数の位置を表す前記データに基づいて、前記光ファイバケーブルの前記極性を判定するように構成されている、請求項４に記載の光学試験装置。
【請求項１４】
前記位置検知検出器及び前記光検出器は、それらの間の結合剤によって積層されている、請求項１から６のいずれか１項に記載の光学試験装置。
【請求項１５】
前記位置検知検出器は、前記第１の波長範囲内の波長を有する光を通過させるとともに、前記第１の波長範囲の外側かつ前記第２の波長範囲内の波長を有する光を反射するように構成された反射コートによって被覆されている、請求項１から１４のいずれか１項に記載の光学試験装置。
【請求項１６】
前記光検出器は、前記反射コートによって反射された光を受信するように位置付けられている、請求項１５に記載の光学試験装置。
【請求項１７】
前記光検出器が、
前記光ファイバケーブルの前記複数の光ファイバを通してそれぞれ放出された複数の第３の光信号であって、前記複数の第３の光信号が、前記第２の波長範囲内かつ前記複数の第２の光信号の波長とは異なる波長を有する、複数の第３の光信号を受信し、
前記複数の第３の光信号の複数の第３の光強度をそれぞれ検出し、
前記複数の第３の光強度を表すデータを出力するように構成されている、請求項４に記載の光学試験装置。
【請求項１８】
前記プロセッサが、
前記複数の第３の光強度を表す前記データを受信し、
前記複数の第３の光強度のうちの対応する第３の光強度に基づいて前記複数の第３の光信号のうちの少なくとも１つの第３の光信号の光損失を判定し、
前記少なくとも１つの第３の光信号の前記光損失を出力するように構成された、請求項１７に記載の光学試験装置。
【請求項１９】
可視光スペクトルの少なくとも一部分を含む第１の波長範囲に光学的に応答する画像センサであって、前記画像センサが、
光ファイバケーブルの複数の光ファイバを通してそれぞれ放出された複数の第１の光信号であって、前記複数の第１の光信号が、前記第１の波長範囲内の波長を有する、複数の第１の光信号を受信し、
前記複数の第１の光信号が前記画像センサにそれぞれ衝突する複数の位置を検出し、
前記複数の位置を表すデータを出力するように構成されている、画像センサと、
前記第１の波長範囲とは異なる第２の波長範囲に光学的に応答する光検出器であって、前記光検出器が、
前記複数の光ファイバを通してそれぞれ放出された複数の第２の光信号であって、前記複数の第２の光信号が、前記第２の波長範囲内の波長を有する、複数の第２の光信号を受信し、
前記複数の第２の光信号の複数の光強度をそれぞれ検出し、
前記複数の光強度を表すデータを出力するように構成されている、光検出器と、を備える、光学試験装置。
【請求項２０】
前記複数の位置を表す前記データ及び前記複数の光強度を表す前記データを受信し、
前記複数の位置を表す前記データに基づいて前記光ファイバケーブルの極性を判定し、
前記複数の第２の光信号の前記複数の光強度を表す前記データに基づいてそれぞれの複数の光損失を判定するように構成された、プロセッサをさらに備える、請求項１９に記載の光学試験装置。
【請求項２１】
前記第１の波長範囲は、前記可視光スペクトルの少なくとも前記一部分及び前記可視光スペクトルの一端と１０００ｎｍとの間にある波長範囲を含む、請求項１９又は請求項２０に記載の光学試験装置。